(57)【要約】【課題】  複数のデータ収集装置から同時に音圧データを混信させることなく、確実に音圧データを収集することができる水道管路監視装置における混信防止方法を提供する。【解決手段】  データ収集装置２において、ＵＡＲＴ通信を用いて、中央処理装置（ＭＰＵ）２４から無線通信モジュール２６に対して所定間隔でＲＣコマンドを送信し、所定回数連続してＵＯコマンドが返信された場合には、無線通信は行われていないと判断し、データ収集装置２からＬコマンドを送信する。又、最初のＲＣコマンドから所定時間内にＵＯコマンドが中央処理装置（ＭＰＵ）２４に返信されなかった場合には、無線通信は行われていると判断し、次に送信するまで無線通信モジュール２６の電源を切る。さらに、Ｌコマンドの送信を行わない期間が終了したデータ収集装置２は、Ｌコマンドの送信間隔として、所定時間を加算する。【選択図】  図６
2014175678.tif 000002
【特許請求の範囲】
【請求項１】
データ収集装置において、ＵＡＲＴ通信を用いて、中央処理装置（ＭＰＵ）から無線通信モジュールに対して所定間隔でＲＣコマンドを送信し、所定回数連続してＵＯコマンドが中央処理装置（ＭＰＵ）に返信された場合には、無線通信は行われていないと判断し、データ収集装置からＬコマンドを送信することを特徴とする水道管路監視装置における混信防止方法。
【請求項２】
データ収集装置において、ＵＡＲＴ通信を用いて、中央処理装置（ＭＰＵ）から無線通信モジュールに対して所定間隔でＲＣコマンドを送信し、最初のＲＣコマンドから所定時間内にＵＯコマンドが返信されなかった場合には、無線通信は行われていると判断し、次に送信するまで無線通信モジュールの電源を切ることを特徴とする水道管路監視装置における混信防止方法。
【請求項３】
さらに、Ｌコマンドの送信を行わない期間が終了したデータ収集装置は、Ｌコマンドの送信間隔として、所定時間を加算することを特徴とする請求項１又は２に記載の水道管路監視装置における混信防止方法。
【発明の詳細な説明】
【技術分野】
【０００１】
本発明は、水道管路における漏水、水撃等の発生の有無、水の使用実態状況等を監視する水道管路監視装置における混信防止方法に関する。
【背景技術】
【０００２】
従来、水道管路の途中に設置されている多数の消火栓、空気弁等に音圧検出装置及びデータ記録装置を設置し、音圧を長時間自動検出すると共に、データ記録装置によりメモリカードに自動記録し、この多数のメモリカードに記録した音圧データをコンピュータに入力して処理、解析、保存することによって、水道管路の監視を行っていた（特許文献１参照）。
【０００３】
しかし、この方法では、作業者がデータ記録装置の設置個所を巡廻し、一々、メモリカードを収集しなければならず、データの収集に時間がかかると共に、音圧データをコンピュータに入力しなければ、漏水、水撃等の発生の有無、水の使用実態状況等を知ることはできなかった。
【０００４】
かかる不都合を解消するため、音圧検出装置とデータ記録装置を一体化させたデータ収集装置と、携帯可能なデータ分析装置から構成され、作業者がデータ分析装置を携帯して巡廻する間に、データ収集装置から音圧データをデータ分析装置に無線で送信する水道管路監視装置が開発された。
【０００５】
上記水道管路監視装置によれば、一々、メモリカードを収集する必要はなく、作業者の労力を大幅に軽減することができると共に、データ分析装置によって漏水、水撃等の発生の有無、水の使用実態状況等を直ちに確認することができる。
【先行技術文献】
【特許文献】
【０００６】
【特許文献１】特開平６−１８６１２６号公報
【発明の概要】
【発明が解決しようとする課題】
【０００７】
上記水道管路監視装置において、データ分析装置は、データ収集装置が送信するＬコマンドを受信し、データ収集装置に対して如何なる動作をするかの指示を与える。
ここで、データ収集装置がＬコマンドを送信するのは、「電源を入れた時」、「指定された時間帯」の何れかの条件が満たされた場合であり、「指定された時間帯」の場合は、「何時から何時まで」、「何秒間隔で」という設定条件に従って送信動作を行う。
【０００８】
かかる水道管路監視装置において、作業者がデータ分析装置を携帯して巡廻する間に、複数のデータ収集装置からＬコマンドが送信された場合、音圧データが混信して、どのデータ収集装置から送信されているのか、判別できなくなってしまい、音圧データの収集に不都合を来たすという問題点がある。
【０００９】
本発明は、かかる問題点を解消すべく為されたものであって、データ収集装置から音圧データをデータ分析装置に無線で送信する水道管路監視装置において、複数のデータ収集装置から同時にＬコマンドを発信させないで、音圧データを混信させることなく、確実に音圧データを収集することができる水道管路監視装置における混信防止方法を提供することを目的とする。
【課題を解決するための手段】
【００１０】
上記目的を達成するために、本発明の水道管路監視装置における混信防止方法は、データ収集装置において、ＵＡＲＴ通信を用いて、ＭＰＵから無線モジュールに対して所定間隔でＲＣコマンドを送信し、所定回数連続してＵＯコマンドが返信された場合には、無線通信は行われていないと判断し、データ収集装置からＬコマンドを送信することを特徴とする。
【００１１】
又、最初のＲＣコマンドから所定時間内にＵＯコマンドが返信されなかった場合には、無線通信は行われていると判断し、次に送信するまで無線モジュールの電源を切ることを特徴とする。
【００１２】
さらに、Ｌコマンドの送信を行わない期間が終了したデータ収集装置は、Ｌコマンドの送信間隔として、所定時間を加算することを特徴とする。
【発明の効果】
【００１３】
本発明の水道管路監視装置における混信防止方法によれば、複数のデータ収集装置から同時にＬコマンドを発信させないで、音圧データを混信させることなく、確実に音圧データを収集することができる。
【図面の簡単な説明】
【００１４】
【図１】水道管路監視装置の説明図である。
【図２】データ収集装置の外観図である。
【図３】データ収集装置の回路構成図である。
【図４】データ分析装置の外観図である。
【図５】データ分析装置の回路構成図である。
【図６】混信防止方法の説明図である。
【図７】混信防止方法の説明図である。
【図８】混信防止方法の説明図である。
【発明を実施するための形態】
【００１５】
先ず、本発明の水道管路監視装置について、図１乃至図５を参照して説明する。
【００１６】
水道管路監視装置１は、図１に示すように、複数のデータ収集装置２と、データ分析装置３と、から構成され、データ収集装置２とデータ分析装置３とは無線によってコマンド及びデータを送受信するようになっている。
【００１７】
データ収集装置２は、図２及び図３に示すように、下端部に音圧センサ２１を配置し、上端部にアンテナ２２と把持部材２３を配置してある。
そして、作業者は把持部材２３を把持して携行し、図１に示すように、水道管路Ｌの制御弁、消火栓、メータ等の付帯設備Ｖにデータ収集装置２を設置する。
【００１８】
水道管路Ｌにおいて発生、伝達されてきた流水音、漏水音等の音は、付帯設備Ｖを介してデータ収集装置２の音圧センサ２１によって捕捉され、音圧信号として検出される。
そして、この音圧信号は、電圧増幅、フィルタリング、デジタル変換等され、中央処理装置（ＭＰＵ）２４において演算、処理され、記憶装置２５に順次音圧データとして保存される。
又、保存された音圧データは、無線通信モジュール２６を介してアンテナ２２から発信される。
【００１９】
データ分析装置３は、図４及び図５に示すように、筐体３１の表面部に表示装置３２と操作ボタン３３を配置し、上端部にアンテナ３４を配置してある。
【００２０】
データ収集装置２のアンテナ２２から発信され、アンテナ３４によって受信された音圧データは、無線通信モジュール３５を介して中央処理装置（ＣＰＵ）３６に送信され、中央処理装置（ＣＰＵ）３６において演算、処理されて、記憶装置３７に保存される。
そして、記憶装置３７に保存された音圧データは、中央処理装置（ＣＰＵ）３６によって適宜抽出され、演算、処理されて、表示装置３２に数値表示、グラフ表示、図形表示等出力されるようになっている。
【００２１】
データ収集装置２は、生活音の少ない深夜の時間帯に２時間（２〜４時）、所定の間隔（１〜６０秒）で音圧値を記録し、測定された２時間において最小音圧値を漏水判定に使用する音圧データとする。
漏水音は継続して発生するものであって、音の大きさが急に変化することは基本的にはない。音が急に大きくなる要因としては、生活音、自動販売機等の電気機器の動作音等が考えられるが、２時間発生し続けることはない。よって、最小音圧値を監視すれば、水道管路から本来発生する音の大きさがわかることになる。
そして、本来発生する音の大きさを基準として所定の閾値を設ければ、この閾値を大幅に超えた最小音圧値を示す個所は、何等かの異常音が発生しているとして、漏水が発生していることを判定することができる。
【００２２】
［混信対策１］
データ収集装置２において、無線通信モジュール２６は、無線通信の受信動作を行っている最中には、中央処理装置（ＭＰＵ）２４と無線通信モジュール２６間のＵＡＲＴ通信の応答動作を行わない。
そこで、ＵＡＲＴ通信を用いて、中央処理装置（ＭＰＵ）２４から無線通信モジュール２６に対して１００ｍｓ間隔でＲＣコマンドを送信する。ここで、受信動作中でなければ、無線通信モジュール２６は、中央処理装置（ＭＰＵ）２４にＵＯコマンドを返信する。
よって、図６に示すように、６回連続してＵＯコマンドが中央処理装置（ＭＰＵ）２４に返信された場合には、５００ｍｓ以上、無線通信は行われていないと判断し、データ収集装置２からデータ分析装置３にＬコマンドを送信する。
【００２３】
又、図７に示すように、最初のＲＣコマンドから５００ｍｓ以内にＵＯコマンドが中央処理装置（ＭＰＵ）２４に返信された場合には、その時点から６回連続してＵＯコマンドが返信された場合に、５００ｍｓ以上、無線通信は行われていないと判断し、データ収集装置２からデータ分析装置３にＬコマンドを送信する。
【００２４】
一方、図８に示すように、最初のＲＣコマンドから５００ｍｓ以内にＵＯコマンドが中央処理装置（ＭＰＵ）２４に返信された場合でも、最初のＲＣコマンドから５００ｍｓ以降にＵＯコマンドが返信されなかった場合には、無線通信は行われていると判断する。
そして、電池の消耗を防止するために、「何秒間隔」の設定条件に従って、次にデータ分析装置３に送信するまで無線通信モジュール２６の電源を切る。
【００２５】
又、最初のＲＣコマンドから５００ｍｓ以内に１回もＵＯコマンドが中央処理装置（ＭＰＵ）２４に返信されなかった場合には、無線通信は行われていると判断する。
そして、同様に、電池の消耗を防止するために、「何秒間隔」の設定条件に従って、次に送信するまで無線通信モジュール２６の電源を切る。
【００２６】
［混信対策２］
データ分析装置３との無線通信が成功したデータ収集装置２は、他のデータ収集装置２の無線通信を妨害しないように、送受信したデータの種類によって、１分間又は５分間、データ分析装置３にＬコマンドの送信を行わない。
Ｌコマンドの送信を行わない期間が終了したデータ収集装置２は、再度、データ分析装置３にＬコマンドの送信を開始するが、Ｌコマンドの送信間隔として、「何秒間隔」の設定条件に１００ｍｓを加算することによって、他のデータ収集装置２の無線通信の時期とタイミングをずらすようにする。
【００２７】
以上のように、本発明の水道管路監視装置における混信防止方法によれば、複数のデータ収集装置から同時にデータ分析装置３にＬコマンドを発信させないようにしたから、音圧データを混信させることなく、確実に音圧データを収集することができる。
【符号の説明】
【００２８】
１  水道管路監視装
２  データ収集装置
２１  音圧センサ
２２  アンテナ
３  データ分析装置
３４  アンテナ
Ｌ  水道管路
【図１】
2014175678.tif 000003
【図２】
2014175678.tif 000004
【図３】
2014175678.tif 000005
【図４】
2014175678.tif 000006
【図５】
2014175678.tif 000007
【図６】
2014175678.tif 000008
【図７】
2014175678.tif 000009
【図８】
2014175678.tif 000010